(57)【要約】【課題】種々多様な情報を表示できるだけの表示装置であって、遊技機器のメンテナンスに悪影響を与えない、遊技機器用の表示装置を提供する。【解決手段】本発明の遊技機器の表示装置は、遊技機器に取り付けられる表示装置であって、表示ユニットと、前記表示ユニットと回動可能に連結する機構ユニットと、を備え、前記表示ユニットは、前記遊技機器の正面であって前記遊技機器と遊技者との間に設置され、前記表示ユニットと前記機構ユニットとは、第１回動部と第２回動部とで、接続されており、前記第１回動部は、前記表示ユニットを、前記遊技機器の正面扉に対して上下に回動させ、前記第２回動部は、前記表示ユニットを、前記遊技機器の前記正面扉に対して、左右に回動させる。【選択図】図１
2016195627.tif 000002
【特許請求の範囲】
【請求項１】
遊技機器に取り付けられる表示装置であって、
表示ユニットと、
前記表示ユニットと回動可能に連結する機構ユニットと、を備え、
前記表示ユニットは、前記遊技機器の正面であって前記遊技機器と遊技者との間に設置され、
前記表示ユニットと前記機構ユニットとは、第１回動部と第２回動部とで、接続されており、
前記第１回動部は、前記表示ユニットを、前記遊技機器の正面扉に対して上下に回動させ、
前記第２回動部は、前記表示ユニットを、前記遊技機器の前記正面扉に対して、左右に回動させる、遊技機器の表示装置。
【請求項２】
前記第１回動部および前記第２回動部が初期状態である場合に、前記表示ユニットは、前記遊技機器の正面扉の前面に位置する標準状態となり、前記遊技機器を使用する遊技者が、前記正面扉を見る方向で前記表示ユニットを視認できる、請求項１記載の遊技機器の表示装置。
【請求項３】
前記標準状態において、前記表示ユニットは、前記正面扉における下部であって、前記遊技機器を設置する設置台に近接して位置する、請求項２記載の遊技機器の表示装置。
【請求項４】
前記標準状態において、前記表示ユニットは、前記遊技機器におけるパチンコ玉もしくはコインの受け皿前に位置する、請求項３記載の遊技機器の表示装置。
【請求項５】
前記表示ユニットは、前記遊技機器で遊技する際に前記遊技者にとっての便益情報を表示する表示画面を有し、
前記標準状態において、前記遊技者は、前記正面扉を見る方向において、前記表示画面を視認可能である、請求項２から４のいずれか記載の遊技機器の表示装置。
【請求項６】
前記機構ユニットは、隣接する前記遊技機器の間に挿入されて固定される、請求項１から５のいずれか記載の遊技機器の表示装置。
【請求項７】
前記標準状態において、前記第２回動部は、前記機構ユニットと前記表示ユニットとを、略垂直にする、請求項６記載の遊技機器の表示装置。
【請求項８】
前記標準状態において、前記第１回動部は、前記表示画面を前記遊技者側に向ける、請求項６または７記載の遊技機器の表示装置。
【請求項９】
前記第１回動部は、前記遊技機器の正面扉を開く必要のある状態（以下、「メンテナンス状態」）において、前記表示ユニットを上方に回動し、前記表示画面を前記正面扉に対向させる、請求項５から８のいずれか記載の遊技機器の表示装置。
【請求項１０】
前記機構ユニットは、
前記遊技機器に挿入されて固定される第１機構部と、
前記第１機構部と前記第２回動部で回動可能に接続されて、前記表示ユニットを支持する第２機構部と、を有し、
前記正面扉は、遊技用ハンドルを有し、
前記第１回動部の回動により前記表示画面が、前記正面扉に対向する場合には、
当該遊技機器の隣の遊技機器の前記遊技用ハンドルと同じ高さにおける前記第２機構部の突出量は、前記隣の遊技機器の前記遊技用ハンドルの突出量よりも小さい、請求項９記載の遊技機器の表示装置。
【請求項１１】
前記第１回動部の回動により、前記表示画面が、前記正面扉に対向する場合には、
前記第２機構部が、遊技者側に露出する、請求項１０記載の遊技機器の表示装置。
【請求項１２】
前記第２機構部が遊技者側に露出する場合に、当該露出部分は、前記第２回動部によって、前記表示ユニットが回動する場合に、前記隣の遊技機器の前記遊技用ハンドルを収容する空間を形成できる、請求項１１記載の遊技機器の表示装置。
【請求項１３】
前記メンテナンス状態において、前記第２回動部は、前記表示ユニットを前記正面扉から遠ざかるように所定角度まで回動可能である、請求項９から１２のいずれか記載の遊技機器の表示装置。
【請求項１４】
前記所定角度は、１００度である、請求項１３記載の遊技機器の表示装置。
【請求項１５】
前記第１回動部および前記第２回動部による回動を可能とする、ロック機構を更に備える、請求項１から１４のいずれか記載の遊技機器の表示装置。
【発明の詳細な説明】
【技術分野】
【０００１】
本発明は、パチンコ機やスロット機などの遊技機器に取り付けて使用される表示装置に関する。
【背景技術】
【０００２】
いわゆるパチンコやスロットなどの遊技機器を設置して、これらの機能に基づく遊技施設が、各地に存在している。このような遊技施設を運営する事業者は、より多くの遊技者に来訪してもらおうと、様々な工夫を凝らしている。
【０００３】
特に、近年の我が国の人口減少傾向や個人の嗜好の多様性により、パチンコやスロットなどの遊技を行う遊技人口が減少傾向にある。このような減少傾向に対応するために、パチンコ機やスロット機などの遊技機器の魅力や遊技性を高めたり、店内の快適性を向上させたりするなどの努力が行われている。
【０００４】
このような遊技機器の魅力を高める一つとして、いわゆるパチンコ機のパチンコ玉や、スロット機のコインなどの枚数を、パチンコ機やスロット機の場所で計測することが行われている（例えば、特許文献１参照）。
【０００５】
パチンコ機においては、遊技者がパチンコ玉をパチンコ機の受け皿に投入して、ハンドルを操作して、パチンコ玉を発射する。発射されたパチンコ玉が、パチンコ機の所定の部位に入ると、所定個数のパチンコ玉が容器に供給される。このようにして、遊技者がパチンコ機での遊技を続けていくことで、パチンコ玉を増やしていくことが、遊技者の楽しみの一つである。これはスロット機でも同様であり、スロット機においては、コインを増やしていくことが、遊技者の楽しみの一つである。
【０００６】
これらのパチンコ玉やコインは、景品との交換に使用される。このため、遊技者はパチンコ機やスロット機でのゲーム性を楽しむと共に、ゲームを上手にこなして増やしたパチンコ玉やコインによる景品との交換を楽しみにする。
【０００７】
このような楽しみ方がなされるパチンコ機やスロット機では、受け皿にパチンコ玉やコインが溜まっていく。パチンコ機やスロット機に備わっている受け皿に入りきれなくなったパチンコ玉やコインは、運搬箱に移される。このようにして、あるパチンコ機やスロット機においては、遊技者の購入ないしは獲得したパチンコ玉やコインが置かれている状態になる。
【０００８】
上記のように景品交換の楽しみを持って遊技者は遊技するが、実際のパチンコ玉やコインの個数を遊技中に把握するのは困難である。受け皿や運搬箱にたまっているパチンコ玉やコインの個数を数えるのは大変であるし、ざっくりとした数を推定することしかできないからである。
【０００９】
一方で、景品交換を行うべきか、パチンコ玉やコインを使い切るまで遊技を続けるべきかわかりにくい溜まり方となっていることもある。あるいは、目的の景品にパチンコ玉やコインの個数が足りているかわからないこともある。このように、現在溜まっているパチンコ玉やコインの個数がはっきりとわからないことは、遊技者にとっては、楽しみを十分に享受できない原因となることもあった。
【００１０】
また、現在溜まっているパチンコ玉やコインの個数が分からないと、遊技者にとって、遊技を終了するタイミングが計りにくい問題がある。終了するタイミングが計りにくいことで、パチンコやスロットなどの遊技場に足を運びたい興味を有する潜在顧客が、遊技場に足を運びにくいといったことも生じえる。これは、遊技場の事業者にとっても、遊技への興味を有するユーザーにとっても好ましくない。
【００１１】
このような状況で、特許文献１のように、出玉の個数を表示する表示装置をパチンコ機に設置する技術が提案されている。
【先行技術文献】
【特許文献】
【００１２】
【特許文献１】特開２０１０−２３３８６７号公報
【発明の概要】
【発明が解決しようとする課題】
【００１３】
特許文献１は、遊技台を列設して構成した遊技機島において、遊技台の間に設置される台間玉貸機の下方に配置される各台計数機であって、遊技機島の膳板に対して着脱可能に取り付けられて、遊技台から排出される出玉を受け止める玉箱と、出玉を計数する計数部と、玉箱の出玉を、計数部へ導く玉通路を形成する玉樋部材と、を備え、膳板上における玉箱の取付部には、ロック状態では当該膳板に対して取り付けた玉箱の取り外しを阻止し、ロック解除状態では玉箱の取り外しを可能にするロック機構を設け、ロック機構は、固定側の係止部と、該係止部に係止することにより玉箱の移動を阻止する可動側の係止部材と、可動部材を可動させて係止部と係止部材との係止を解除するための操作部材と、を備えており、玉樋部材は、流下方向の途中で分割した上流側の第１玉樋部材と下流側の第２玉樋部材と、両玉樋部材を接続する摺動部材と、を備えており、摺動部材を第１玉樋部材と第２玉樋部材との接続部分に位置させて、玉樋部材が接続状態にあるときに、互いに係合して摺動部材の摺動を阻止する係合部および係合受部を、摺動部材および第１または第２玉樋部材にそれぞれ設けるとともに、係合部と係合受部との係合を解除するための操作部を設け、ロック機構の係止部材および摺動部材の操作部に対して、操作部材を共通に使用して、玉樋部材を分割するとともに玉箱のロック状態を解除することにより、玉箱を膳板から取り外すようにしたことを特徴とする各台計数機を、開示する。
【００１４】
特許文献１は、従来技術で説明したように、遊技者が溜まっている現在のパチンコ玉やコインの個数を、表示部により容易に確認できる機能を提案している。このパチンコ玉やコインの個数が表示されることで、遊技者は現状の溜まっている個数を把握でき、景品への交換や遊技の継続の可否などを、容易に判断できるようになる。
【００１５】
しかしながら、特許文献１は、当該文献の図１にあるように、パチンコ機が複数並べて設置されるパチンコ台の島における隣接するパチンコ機の間に設置される。このため、遊技者にとっては、表示部を見にくい問題がある。更には、隣接するパチンコ機やスロット機の間に表示部が設けられるので、パチンコ機やスロット機の正面に着座している遊技者にとっては、どの表示部が自身のパチンコ機やスロット機に対応しているかを、瞬時に把握することが難しい問題もある。
【００１６】
隣のパチンコ機やスロット機のパチンコ玉やコインの個数を表示している表示部を見て、自身の遊技しているパチンコ機やスロット機での、パチンコ玉やコインの個数であると誤解してしまう可能性もあう。
【００１７】
このように、特許文献１のような従来技術では、パチンコ玉やコインの個数を表示する表示部が、パチンコ機の間に設置されることで、視認性や確認性の悪さの問題があった。一方で、パチンコ機の上部や正面に表示部が設置されると、パチンコ機やスロット機の遊技用の面が隠されてしまい、遊技そのものが困難となる問題もある。
【００１８】
また、特許文献１に開示される表示部は、いわゆる出玉の表示のみしかできず、遊技者としては、得られる情報としては不十分である。
【００１９】
例えば、遊技を開始してから使用した金額や、現在のパチンコ玉やコインの個数で、どの程度の景品に交換可能か、などの情報が表示されることは、遊技者にとって有益である。また、パチンコ玉やコインを購入するために、１万円札を投入しても、実際には１０００円分のみを購入することもある。このとき、投入金額と購入金額が、表示部に表示されることも、遊技者にとって好ましい。
【００２０】
これらの種々多様な情報を表示できるためには、表示部には一定の大きさが求められる。このような一定の大きさを有する表示部は、隣接するパチンコ機やスロット機の間では、設置が困難である。
【００２１】
特に、パチンコ玉の挙動を画面で表示したり、パチンコ玉の購入を行う場合の操作指示を、画面で表示したりすることも求められる。あるいは、現在の出玉や過去の出玉のデータ情報などが表示されることも、求められる。これらの情報が表示されれば、遊技がより楽しくまたやりやすくなるからである。
【００２２】
しかしながら、特許文献１に開示されるような従来技術では、このような表示を行うことができなかった。
【００２３】
このため、遊技者にとって有益な種々多様な情報を表示できるように、一定の大きさを有する表示部をパチンコ機やスロット機などの遊技機器に設置することが求められている。
【００２４】
本発明は、以上のような課題に鑑み、種々多様な情報を表示できるだけの表示装置であって、遊技機器のメンテナンスに悪影響を与えない、遊技機器用の表示装置を提供することを目的とする。
【課題を解決するための手段】
【００２５】
上記課題に鑑み、本発明の遊技機器用の表示装置は、遊技機器に取り付けられる表示装置であって、
表示ユニットと、
表示ユニットと回動可能に連結する機構ユニットと、を備え、
表示ユニットは、遊技機器の正面であって遊技機器と遊技者との間に設置され、
表示ユニットと機構ユニットとは、第１回動部と第２回動部とで、接続されており、
第１回動部は、表示ユニットを、遊技機器の正面扉に対して上下に回動させ、
第２回動部は、表示ユニットを、遊技機器の正面扉に対して、左右に回動させる。
【発明の効果】
【００２６】
本発明の遊技機器用の表示装置は、遊技機器の正面と遊技者との間に設けられるので、遊技者が、自身の遊技機器に関する情報の表示であることを間違えないで済む。この結果、遊技者は、自身の遊技に関する情報を確認しつつ、遊技を楽しむことができる。
【００２７】
また、表示装置は、遊技者にとって有益な情報を表示するので、遊技者は、遊技そのものであったり、遊技の結果の景品交換などの楽しみであったりの、目的とする楽しみを、存分に享受できる。加えて、遊技の継続の可否などを判断することも容易となる。
【００２８】
また、本発明の遊技機器用の表示装置は、遊技機器の扉を開ける際の邪魔にならない折り曲げ構造を有しているので、遊技機器の日々のメンテナンスに悪影響を及ぼさない。
【図面の簡単な説明】
【００２９】
【図１】遊技機器の表示装置の取り付け前と取付け後の遊技機器の正面図である。
【図２】本発明の実施の形態１における遊技機器に取付けられた表示装置の斜視図である。
【図３】本発明の実施の形態１における表示ユニットが上方に回動された後の表示装置とその周辺の斜視図である。
【図４】本発明の実施の形態１における表示ユニットが上方に回動した後の状態を示す表示装置とその周辺の側面図である。
【図５】本発明の実施の形態１における表示ユニットが左に回動された状態での表示装置とその周辺の斜視図である。
【図６】本発明の実施の形態１における表示ユニットが左側に回動した状態での表示装置とその周辺の上面図である。
【図７】本発明の実施の形態２における第１回動部による回動をした表示装置とその周辺の斜視図である。
【図８】本発明の実施の形態２における第１回動部による回動をした表示装置とその周辺の正面図である。
【図９】発明の実施の形態２における第２ロックとその周辺の正面図である。
【発明を実施するための形態】
【００３０】
本発明の第１の発明に係る遊技機器用の表示装置は、遊技機器に取り付けられる表示装置であって、
表示ユニットと、
表示ユニットと回動可能に連結する機構ユニットと、を備え、
表示ユニットは、遊技機器の正面であって遊技機器と遊技者との間に設置され、
表示ユニットと機構ユニットとは、第１回動部と第２回動部とで、接続されており、
第１回動部は、表示ユニットを、遊技機器の正面扉に対して上下に回動させ、
第２回動部は、表示ユニットを、遊技機器の正面扉に対して、左右に回動させる。
【００３１】
この構成により、正面扉の前に表示装置が設けられる場合でも、隣の遊技機器の遊技用ハンドルなどが邪魔にならずに正面扉を開けることができる。この時、表示ユニットが、十分な角度で開くので、正面扉も十分な角度で開く。
【００３２】
本発明の第２の発明に係る遊技機器用の表示装置では、第１の発明に加えて、第１回動部および第２回動部が初期状態である場合に、表示ユニットは、遊技機器の正面扉の前面に位置する標準状態となり、遊技機器を使用する遊技者が、正面扉を見る方向で表示ユニットを視認できる。
【００３３】
この構成により、表示装置は、遊技者の便益となる様々な情報を視認可能に表示できる。
【００３４】
本発明の第３の発明に係る遊技機器用の表示装置では、第２の発明に加えて、標準状態において、表示ユニットは、正面扉における下部であって、遊技機器を設置する設置台に近接して位置する。
【００３５】
この構成により、遊技者が遊技盤を見ながら遊技することの邪魔にならないと共に、遊技をしながらの目線で、遊技者は表示ユニットを見ることができる。
【００３６】
本発明の第４の発明に係る遊技機器用の表示装置では、第３の発明に加えて、標準状態において、表示ユニットは、遊技機器におけるパチンコ玉もしくはコインの受け皿前に位置する。
【００３７】
この構成により、遊技者は、遊技をしながら表示ユニットを視認できる。
【００３８】
本発明の第５の発明に係る遊技機器用の表示装置では、第２から第４の発明に加えて、表示ユニットは、遊技機器で遊技する際に遊技者にとっての便益情報を表示する表示画面を有し、標準状態において、遊技者は、正面扉を見る方向において、表示画面を視認可能である。
【００３９】
この構成により、遊技者は、様々な情報画面を見ることができる。
【００４０】
本発明の第６の発明に係る遊技機器用の表示装置では、第１から第５のいずれかの発明に加えて、機構ユニットは、隣接する遊技機器の間に挿入されて固定される。
【００４１】
この構成により、表示装置が、遊技機器に固定される。
【００４２】
本発明の第７の発明に係る遊技機器用の表示装置では、第６の発明に加えて、標準状態において、第２回動部は、機構ユニットと表示ユニットとを、略垂直にする。
【００４３】
この構成により、表示ユニットは、機構ユニットとの略垂直の状態により、遊技者の正面に表示画面を向けることができる。
【００４４】
本発明の第８の発明に係る遊技機器用の表示装置では、第６または第７の発明に加えて、標準状態において、第１回動部は、表示画面を遊技者側に向ける。
【００４５】
この構成により、遊技者は、正面の表示画面を見ることができる。
【００４６】
本発明の第９の発明に係る遊技機器用の表示装置では、第５から第８のいずれかの発明に加えて、第１回動部は、遊技機器の正面扉を開く必要のある状態（以下、「メンテナンス状態」）において、表示ユニットを上方に回動し、表示画面を正面扉に対向させる。
【００４７】
この構成により、表示ユニットによる突出量が、隣の遊技機器の遊技用ハンドルの高さにおいて減少する。
【００４８】
本発明の第１０の発明に係る遊技機器用の表示装置では、第９の発明に加えて、機構ユニットは、遊技機器に挿入されて固定される第１機構部と、第１機構部と第２回動部で回動可能に接続されて、表示ユニットを支持する第２機構部と、を有し、正面扉は、遊技用ハンドルを有し、第１回動部の回動により表示画面が、正面扉に対向する場合には、当該遊技機器の隣の遊技機器の遊技用ハンドルと同じ高さにおける第２機構部の突出量は、隣の遊技機器の遊技用ハンドルの突出量よりも小さい。
【００４９】
この構成により、表示ユニットが、正面扉を開く際に、隣の遊技機器の遊技用ハンドルによる邪魔となりにくくなる。
【００５０】
本発明の第１１の発明に係る遊技機器の表示装置では、第１０の発明に加えて、第１回動部の回動により、表示画面が、正面扉に対向する場合には、第２機構部が、遊技者側に露出する。
【００５１】
この構成により、表示ユニットが、正面扉を開く際に、隣の遊技機器の遊技用ハンドルによる邪魔となりにくくなる。
【００５２】
本発明の第１２の発明に係る遊技機器の表示装置では、第１１の発明に加えて、第２機構部が遊技者側に露出する場合に、当該露出部分は、第２回動部によって、表示ユニットが回動する場合に、隣の遊技機器の遊技用ハンドルを収容する空間を形成できる。
【００５３】
この構成により、表示ユニットが開く際に、隣の遊技機器の遊技用ハンドルに表示ユニットがぶつからずに済む。
【００５４】
本発明の第１３の発明に係る遊技機器の表示装置では、第１から第１２のいずれかの発明に加えて、メンテナンス状態において、第２回動部は、表示ユニットを正面扉から遠ざかるように所定角度まで回動可能である。
【００５５】
本発明の第１４の発明に係る遊技機器の表示装置では、第１３の発明に加えて、所定角度は、１００度である。
【００５６】
これらの構成により、正面扉は、十分な角度で開く。
【００５７】
本発明の第１５の発明に係る遊技機器の表示装置では、第１から第１４のいずれかの発明に加えて、第１回動部および第２回動部による回動を可能とする、ロック機構を更に備える。
【００５８】
この構成により、第１回動部および第２回動部のそれぞれは、不用意に回動しない。
【００５９】
以下、図面を参照しながら、本発明の実施の形態を説明する。
【００６０】
（実施の形態１）
【００６１】
（遊技機器への表示装置の設置）
図１は、遊技機器の表示装置の取り付け前と取付け後の遊技機器の正面図である。図１の左側は、表示装置１が取り付けられる前の遊技機器１０であり、図１の右側は、表示装置１が取り付けられた後の遊技機器１０である。
【００６２】
なお、本明細書における遊技機器１０は、遊技機器としての機能を発揮する機器のみを示すこともあるし、この機器に必要となる装置や機器なども含むこともある。例えば、パチンコ台の場合には、パチンコ台として機能する部分のみを遊技機器として示すこともあるし、パチンコ台同士の間の機器（必要な電子機器など）を含んで示すこともある。
【００６３】
従来技術で説明したように、表示装置１において、出玉情報、過去の出玉データ、パチンコ玉やコインなどの挙動画像などのパチンコ玉やコインそのもの動きや状況に関する画像、パチンコ玉やコインなどの購入操作や遊技場からの案内情報などの有用情報に関する画像を表示することが求められる。これらが表示されることで、遊技者が遊技機器での遊技をより楽しめるようになるからである。更には、遊技者が、出玉状況を把握して景品との交換を検討したりできたり、過去の出玉データから、遊技機器を選んだりすることができるからである。
【００６４】
このような、パチンコ玉やコインの挙動や現状に関する情報、あるいはパチンコ玉やコインの購入操作画像、遊技場からの案内情報などの様々な画像を表示するには、遊技者が遊技をしながら見やすい位置に、表示装置１が取り付けられる必要がある。また、遊技の邪魔にならないことも必要である。
【００６５】
これらに対応するには、遊技機器１０の下方であって、遊技機器１０の遊技盤４０に被らない位置であることが必要である。すなわち、図１の右側に示されるように、表示装置１は、遊技機器１０の下方であって、いわゆるパチンコ玉やコインの受け皿の位置に設置されることが適当である。このような位置に表示装置１が設置されることで、遊技者は、遊技に必要となる遊技盤の視認に影響を受けずに、遊技機器１０での遊技を楽しむことができる。
【００６６】
一方で、遊技機器１０は、遊技に必要な遊技用ハンドル３０を備えている。更に、遊技機器１０は、内部の機構に蓋となりつつメンテナンスなどの場合には開けることができる開閉可能な正面扉２０を備える。正面扉２０は、遊技機器１０の前面のほぼ全体を開閉できるように、遊技用ハンドル３０や表示装置１を合わせて開閉する。言い換えれば、遊技用ハンドル３０や表示装置１は、正面扉２０の前面に位置している。
【００６７】
ここで、遊技用ハンドル３０は、遊技者による操作の都合上、当然ながら遊技機器１０の下方に設けられる。図１の右側に示されるように、遊技用ハンドル３０は表示装置１と高さ方向において並んだ位置に設けられる。このため、隣接する遊技機器１０においては、自身の表示装置１、自身の遊技用ハンドル３０、隣接遊技機器１０の表示装置１、隣接遊技機器１０の遊技用ハンドル３０と並ぶことになる。
【００６８】
ここで、表示装置１は、図１で分かるとおり、正面扉２０の前であって遊技者側に取り付けられるので、どうしても正面扉２０から突出した状態となる。上述の通り、表示装置１は、様々な情報や画像を表示することが求められる。このため、表示装置１は、表示画面に加えて、これらを制御する電子基板やこれを格納する筐体を有する必要がある。このため、表示装置１は、一定の体積を有することになる。このため、表示装置１は、正面扉２０からかなりの量において突出することになる。
【００６９】
このような突出量を有している表示装置１は、そのままでは正面扉２０を開ける場合に、邪魔となる。正面扉２０は、左右のいずれかに開かれて、内部を露出させる。この露出により内部の機器のメンテナンスが行える。このメンテナンスなどの為には、正面扉２０を十分に開けることができる必要がある。隣接する遊技機器１０との関係上、９０度程度には開くことが必要である。
【００７０】
しかしながら、図１に示すように、正面扉２０の前に表示装置１が取り付けられる場合には、正面扉２０が開く場合に、隣接する遊技機器１０の遊技用ハンドル３０に表示装置１がぶつかってしまう。表示装置１と遊技用ハンドル３０とが、大体同じ高さで並んでいるからである。このように、表示装置１が、隣接する遊技機器１０の遊技用ハンドル３０にぶつかってしまうと、この表示装置１に邪魔されて正面扉２０が十分に開かない。十分に開かなければ、当然ながら遊技機器１０内部のメンテナンスや修理ができない問題がある。
【００７１】
すなわち、遊技性・遊技の容易性・視認性を考慮して、多くの情報を表示できる表示装置１は、図１のように正面扉２０の下方であって遊技者との間に設置することが必要である。一方で、この位置に取り付けられると、隣接する遊技機器１０の遊技用ハンドル３０との相対的な位置関係で、遊技機器１０のメンテナンスや修理に必要な正面扉２０の開閉に障害をもたらす問題があった。
【００７２】
本発明は、このような背景に基づいて、表示装置１を提供する。
【００７３】
（全体概要）
図２は、本発明の実施の形態１における遊技機器に取付けられた表示装置の斜視図である。図２は、表示装置１が取り付けられた遊技機器１０の一部を示している。
【００７４】
表示装置１は、表示ユニット２と機構ユニット３とを、備える。表示ユニット２は、実際に様々な情報や画像を表示する表示画面２１を有する。表示画面２１は、例えば、液晶、有機ＥＬ、ＬＥＤなどで構成される。表示ユニット２は、この表示画面２１を制御する制御用の電子基板、この電子基板を格納する筐体を更に備える。
【００７５】
機構ユニット３は、表示ユニット２と回動可能に連結する。機構ユニット３は、表示ユニット２を支持すると共に、表示ユニット２を遊技機器１０に連結する。このため、機構ユニット３は、その一部で表示ユニット２を支持し、その一部で遊技機器１０と連結する。連結においては、機構ユニット３の一部が、隣接する遊技機器１０同士の間に挿入されて固定される。この固定により、機構ユニット３は、回動以外においては遊技機器１０に対して固定された状態となる。
【００７６】
図２に示されるように、表示ユニット２は、遊技機器１０の正面であって、遊技機器１０と遊技者の間に位置するように設置される。この結果、表示ユニット２は、表示画面２１を遊技者に向ける。正面扉２０において遊技盤４０の下に位置するので、遊技に影響なく、遊技者は表示画面２１を見ることができる。
【００７７】
表示ユニット２と機構ユニット３とは、第１回動部４と第２回動部５とで、接続される。第１回動部４は、表示ユニット２を、遊技機器１０の正面扉２０に対して上下に回動させる。一方、第２回動部５は、表示ユニット２を、正面扉２０に対して、左右に回動させる。
【００７８】
この第１回動部４による上下の回動で、表示ユニット２は、正面扉１０に対して上方に持ち上げられる。更に、第２回動部５による左右の回動で、表示ユニット２は、正面扉１０から遠ざかる方向であって、隣接する遊技機器１０側に開く。この第２回動部５による左右の回動において、正面扉２０から突出している表示ユニット２が上方に持ち上げられていることで、隣接する遊技機器１０の遊技用ハンドル３０と重なる位置での突出量が減っている。この状態で、表示ユニット２が、隣接する遊技機器１０側に回動する。この結果、隣接する遊技機器１０の遊技用ハンドル３０に表示ユニット２がぶつかることなく表示ユニット２が開く。
例えば、表示ユニット２は、左側（左の遊技機器１０側に）に回動する。この場合には、表示ユニット２が第１回動部４による上方への回動によって、すでに表示ユニット２は上方に持ち上がっている。このため、左側に回動されても、表示ユニット２は、左の遊技機器１０の遊技用ハンドル３０にぶつかって正面扉２０が余りあかないような障害となりにくい。
【００７９】
表示ユニット２を含んだ表示装置１が左側に十分に開いていることで、正面扉２０が左側に十分に開くことができるようになる。正面扉２０が、左側に十分に開くことができれば、遊技機器１０のメンテナンスが行える。このように、実施の形態１における表示装置１は、表示画面２１を有する表示ユニット２と、この表示ユニット２を支持すると共に、上方への回動と左右の回動の２段階で回動させる機構ユニット３とで構成されている。この大きな２つの要素によって構成されることで、表示装置１は、正面扉２０の開閉の障害となりにくくなる。この結果、多くの情報を表示できる表示装置１が、遊技機器１０の下方に取り付けられる場合でも、遊技機器１０のメンテナンスや修理に必要な正面扉２０の開閉が、障害なく行える。
【００８０】
（動作説明）
【００８１】
（標準状態）
図２で示される状態は、標準状態である。標準状態は、第１回動部４および第２回動部５が初期状態の場合である。すなわち、第１回動部４が、表示ユニット２を上下に回動させていない状態である。同様に、第２回動部５が、表示ユニット２を左右に回動させていない状態である。この標準状態では、図２に示されるように、表示装置１は、表示ユニット２を、遊技者による遊技機器１０の遊技状態にしている。すなわち、表示画面２１を、遊技者が遊技をしながら視認できる状態である。遊技者が正面扉２０を見る方向で、表示ユニット２の表示画面２１を視認できる状態が、標準状態である。
【００８２】
この標準状態においては、表示ユニット２は、正面扉２０の下部であって、遊技機器１０を設置する設置台１５に近接して位置する。この位置に表示ユニット２が位置することで、上述の通り、遊技者は、表示ユニット２を視認しながら遊技を行うことができる。
【００８３】
この標準状態において、表示ユニット２は、遊技機器１０がいわゆるパチンコ台やスロットマシンである場合の、パチンコ玉やコインの受け皿の前に位置する。図１、図２で示されるように、受け皿の前に（あるいは受け皿の位置に）表示ユニット２が位置するように、表示装置１は、設置される。
【００８４】
（メンテナンス状態）
遊技機器１０は、メンテナンス状態となることがある。例えば、遊技機器１０の内部をメンテナンスしたり修理したりする必要がある場合での状態である。例えば、遊技機器１０が、パチンコ台やスロットマシンである場合には、営業時間終了後に、管理者が、すべてのパチンコ台やスロットマシンの内部を確認したり、必要な清掃やリセット作業を行ったりする必要がある。
【００８５】
このようなメンテナンス状態では、正面扉２０を開ける必要がある。正面扉２０が開けられることで、遊技機器１０の内部が露出するからである。遊技機器１０の内部が露出されることで、管理者は、遊技機器の清掃、リセット作業、修理作業などのメンテナンスを行える。
【００８６】
この正面扉２０を開く必要のある状態であるメンテナンス状態になると、表示ユニット２が、第１回動部４による上向きの回動と第２回動部５による左右の回動とを行う。
【００８７】
（第１回動部による回動）
図３は、本発明の実施の形態１における表示ユニットが上方に回動された後の表示装置とその周辺の斜視図である。図３は、図２の状態から、表示装置１の第１回動部４の回動により、表示ユニット２が上方に回動（持ち上げられた）した状態を示している。
【００８８】
第１回動部４は、表示ユニット２と機構ユニット３とを接続している。また、第１回動部４は、表示ユニットの横方向に沿って、表示ユニット２と機構ユニット３とを接続している。言い換えれば、第１回動部４は、機構ユニット３の一部として、表示ユニット２と接続し、表示ユニット２を支持し、更に、表示ユニット２を機構ユニット４に対して上下に回動させることができる。
【００８９】
この第１回動部４の回動により、表示ユニット２は、上方に持ち上げられるように回動する。図３は、この表示ユニット２が、上方に持ち上げられた状態を示している。この結果、表示ユニット２の表示画面２１が、裏返った状態となる。すなわち、遊技者側に向いていた表示画面２１が、正面扉２０に対向する位置になる。
【００９０】
標準状態で、遊技者側を向いており、表示する画像を遊技者に視認可能としていた表示画面２１は、メンテナンス状態で第１回動部４が回動すると、表示画面２１を、正面扉２０に対向させるようになる。
【００９１】
また、この第１回動部４の回動によって、表示ユニット２が回動しつつ上方に持ち上げられると、第１回動部４の下方の空間が露出される。標準状態では、機構ユニット３の第１回動部４の下方に、表示ユニット２が位置していた。メンテナンス状態となって第１回動部４が表示ユニット２を上方に回動させると、表示ユニット２は、第１回動部４の上に位置するようになる。
【００９２】
この結果、第１回動部４の下においては、表示装置１の突出量は、標準状態よりも小さくなる。なお、ここでの突出量は、正面扉２０から遊技者に向いた方向の突出量である。
【００９３】
図４は、本発明の実施の形態１における表示ユニットが上方に回動した後の状態を示す表示装置とその周辺の側面図である。
【００９４】
側面図になっていることで分かりやすいが、第１回動部４の下方においては、表示装置１の突出量は、標準状態よりも小さい。表示装置１の表示ユニット２が、第１回動部４の上方に回動して持ち上げられているからである。
【００９５】
このように、表示ユニット２が、第１回動部４の上方に回動して持ち上げられると、第１回動部４の下方の機構ユニット３の一部が遊技者側に露出する。すなわち、標準状態では表示ユニット２で埋まっていた空間が、第１回動部４による表示ユニット２の回動で、空いた状態となる。ここで、この空き空間となる第１回動部４の下方は、隣接する遊技機器１０の遊技用ハンドル３０の高さに対応する空間である。
【００９６】
この結果、後述するように、表示ユニット２が第２回動部５で左右に回動される場合でも、隣接する遊技機器１０の遊技用ハンドル３０が邪魔になりにくくなる。
【００９７】
このように、遊技機器１０のメンテナンスが必要となるメンテナンス状態では、正面扉２０を開ける必要がある。正面扉２０の前には、表示装置１があり、正面扉２０を開ける際に、隣接する遊技機器１０の遊技用ハンドル３０が邪魔にならないようにするため、図３、図４で説明したように、第１回動部４によって、まず表示ユニット２が上方に回動される。
【００９８】
（第２回動部による回動）
図３、図４で説明したように、第１回動部４で表示ユニット２を上方に回動させると、隣接する遊技機器１０の遊技用ハンドル３０の高さにおける表示ユニット２の正面扉２０からの突出量が小さくなる。
【００９９】
次に、第２回動部５を回動させる。第２回動部５は、正面扉２０に対して平行に設けられる。この第２回動部５は、正面扉２０に対して平行であることで、表示ユニット２を、左右に回動させることができる。
【０１００】
図５は、本発明の実施の形態１における表示ユニットが左に回動された状態での表示装置とその周辺の斜視図である。第２回動部５は、表示ユニット２を左右に回動可能である。図５では、表示ユニット２が、左側に回動された状態を示している。
【０１０１】
表示ユニット２が、第１回動部４の回動により第１回動部４の上方に上がっている。このため、第１回動部４の下方に、空間ができている。ここで、機構ユニット３は、遊技機器１０に挿入される第１機構部３１と、第１機構部３１と第２回動部５で回動可能に接続される第２機構部３２を備える。  
【０１０２】
第１機構部３１は、遊技機器１０に挿入されているので、第２回動部５による回動によっても、遊技機器との関係においてその角度や位置を変えない。第２機構部３２は、第２回動部５を介して、第１機構部３１と連結している。このため、第２機構部３２は、第２回動部５の回動に合せて、左右に回動する。すなわち、第２機構部３２は、第２回動部５の回動に応じて、正面扉２０に対して（遊技機器１０に対して）、その角度や位置を変化させる。
【０１０３】
第１回動部４の回動で、表示ユニット２が上部に上がると、第２機構部３２が露出される。この露出により、表示ユニット２で埋められていた空間が空き空間になる。この状態で、第２回動部５によって、表示ユニット２は、第２機構部３２と一緒に左側に回動される。このとき、当該遊技機器１０の左側の遊技機器１０は、正面扉２０に遊技用ハンドルを備えている。
【０１０４】
遊技用ハンドル３０は、正面扉２０から突出している。この突出により、表示ユニット２が標準状態のままであると、第２回動部５により表示ユニット２が回動すると、左側の遊技機器１０のこの遊技用ハンドル３０にぶつかってしまう。
【０１０５】
しかし、第１回動部４での回動で、表示ユニット２が上方に持ち上がって左側の遊技機器１０の遊技用ハンドル３０と同じ高さ（遊技用ハンドル３０にあたる位置）には、表示ユニット２が無い状態である。この結果、表示ユニット２が左側に回動しても、表示ユニット２は、左側の遊技機器１０の遊技用ハンドル３０に当たらない。第１回動部４での回動で表示ユニット２が上方に上がっていることで、第２機構部３２は、遊技者側に露出するからである。この露出により、露出部分は、隣の遊技機器１０の遊技用ハンドル３０を収容する空間を形成できる。
【０１０６】
これは、第１回動部４の回動により表示画面２１が正面扉２０に対向している場合には、当該遊技機器１０の隣の遊技機器１０の遊技用ハンドル３０と同じ高さにおける第２機構部５の突出量は、この隣の遊技機器１０の遊技用ハンドル３０の突出量よりも小さいことによる。
【０１０７】
図６は、本発明の実施の形態１における表示ユニットが左側に回動した状態での表示装置とその周辺の上面図である。図６から分かるように、表示ユニット２が上方に上がっているので、生じた空間に左側の遊技機器１０の遊技用ハンドル３０が入る。この結果、表示ユニット２は、左側に十分な角度で回動できる。
【０１０８】
（正面扉の開閉）
図６のように、表示ユニット２が、左側に回動できる。このとき、上述したように、表示ユニット２は、左側の遊技機器１０の遊技用ハンドル３０にぶつからない。表示ユニット２が上方に上がることで第２機構部３２が露出して形成される空間が、表示ユニット２の左側への回動時に遊技用ハンドル３０を収容するようになる。
【０１０９】
この結果、表示ユニット２は、第２回動部５での回動によって、正面扉２０から遠ざかるように所定角度まで回動できる。例えば、この所定角度は略１００度である。この程度まで回動することで、図６に示されるように、正面扉２０も１００度くらいまで回動できる。
【０１１０】
図６は、正面扉２０も、表示ユニット２の回動に合せて所定角度まで開いている状態を示している。ここでは、少なくとも最大で９０度以上の角度まで、正面扉２０が開いている。この正面扉２０が９０度以上の角度まで開くことで、内部のメンテナンスが、確実かつ容易に行える。図６に示される程度まで開いていると、正面扉２０から内部の機器が露出して、様々な作業が容易に行えるからである。
【０１１１】
このように、第１回動部４によって表示ユニット２が上方に回動されて第２機構部３２が露出する。次いで、第２回動部５によって表示ユニット２が左側（右側）に回動して、隣の遊技機器１０の遊技用ハンドル３０にぶつかることなく、９０度以上開く。これらの２段階での表示ユニット２の開きによって、正面扉２０を９０度以上まで開くことができる。結果として、遊技機器１０の内部のメンテナンスを容易かつ確実に行える。
【０１１２】
以上、実施の形態１における遊技機器の表示装置１は、遊技機器１０での遊技性を損なわずかつ遊技者の利便の高い位置に設置されると共に、メンテナンス状態となる場合でも、正面扉２０を確実に開けることができる。
【０１１３】
（実施の形態２）
【０１１４】
次に、実施の形態２について説明する。実施の形態２では、各部の工夫やその他について説明する。
【０１１５】
（表示ユニット）
表示ユニット２は、表示画面２１を有する。この表示画面２１は、遊技者は正面扉２０を見る方向において、視認できる状態である。表示画面２１は、出玉、出玉データ、パチンコ玉やコインの挙動、遊技場からのお知らせなどの、各種の情報や画像を表示できる。すなわち、遊技者にとっての便益情報を表示する。
【０１１６】
表示ユニット２が、いわゆる受け皿の部分に設けられることで、正面扉２０での遊技盤４０の視認の障害となることがない。加えて、受け皿の部分に設けられることで、表示画面２１を大きくできる。表示画面２１は、出玉情報だけでなく、パチンコ玉やコインの挙動など、ダイナミックでビジュアルな画像を表示することが望まれるので、大型であることが好ましい。この点でも、表示ユニット２が、受け皿の位置に設けられることは好適である。
【０１１７】
表示ユニット２は、第２機構部３２により支持される。この第２機構部３２は、表示ユニット２の横方向に沿って第１回動部４を備える。この構成により、表示ユニット２は、第２機構部３２により、第１回動部４に沿って支持される。
【０１１８】
このとき、図２に示されるように、第２機構部３２から上方に伸びる連結部によって、表示ユニット２が支持されてもよい。このような構造であることで、表示ユニット２が支持されると共に、第１回動部４によって上下に回動させやすくなる。加えて、上下の回動により、第２機構部３２が露出できるようになる。
【０１１９】
（機構ユニット）
機構ユニット３は、第１機構部３１と第２機構部３２と、を有する。第１機構部３１は、隣接する遊技機器１０同士の間に挿入される。挿入された上で、固定される。この固定によって、表示装置１が、遊技機器１０に固定される状態となる。
【０１２０】
また、第１機構部３１は、隣接する遊技機器１０同士の間に挿入されて固定されることで、複数の遊技機器１０のそれぞれに表示装置１が、取り付けられる。このとき、自身の遊技機器１０に使用される表示装置１は、左右いずれかの遊技機器１０の隣接する間で取り付けられている。この結果、実施の形態１で説明したような処理で表示ユニット２が回動される際に、すべての表示装置１が正面扉２０の邪魔とならない。
【０１２１】
遊技機器１０のそれぞれに取り付けられた表示ユニット２が正面扉２０の邪魔にならないように回動され、それに合わせて、複数の遊技機器１０の正面扉２０のそれぞれが開けられる。こうして、複数の遊技機器１０のメンテナンスが可能となる。
【０１２２】
機構ユニット３は、表示ユニット２と連結されるので、表示ユニット２に必要な電力や電気信号を送信する電気配線やこれに必要となる電気素子を格納していることも好適である。電気配線は、遊技機器１０から機構ユニット３を介して、表示ユニット２に接続していればよい。
【０１２３】
第２機構部３２は、表示ユニット２と連結状態で左右に回動することが好適である。第２回動部５による表示ユニット２の左右の回動において、表示ユニット２は、第２機構部３２と連結して回動する。このように、第２機構部３２と表示ユニット２が連結して回動することで、正面扉２０の前をふさいでいる表示装置１が回動する。この回動によって、正面扉２０を開けることができる。
【０１２４】
（ロック機構）
表示装置１は、第１回動部４と第２回動部５のそれぞれの回動を可能とするロック機構を更に備えることも好適である。
【０１２５】
図７は、本発明の実施の形態２における第１回動部による回動をした表示装置とその周辺の斜視図である。第１回動部４は、実施の形態１で説明したように、表示ユニット２を上方に持ち上げるように回動させる。この第１回動部４での回動を可能とするために、第１ロック４１が設けられている。
【０１２６】
第１ロック４１は、第１回動部４の回動の可否を切り替える。第１ロック４１が、有効状態である場合には、第１回動部４は回動しない。第１ロック４１が、解除状態である場合には、第１回動部４は回動できる。
【０１２７】
第１ロック４１は、例えばプッシュ式であり押し込まれている場合には、解除状態になる。それ以外の場合には有効状態となる。このようなプッシュ式の第１ロック４１により、第１回動部４の回動の可否を容易に切り替えることができる。
【０１２８】
図８は、本発明の実施の形態２における第１回動部による回動をした表示装置とその周辺の正面図である。図８は、図７の斜視図での状態を正面から見た状態を示している。
【０１２９】
図８の状態は、表示ユニット２が、第１回動部４によって上方に回動された状態である。この状態に続いて、図５などで説明したように、第２回動部５により表示ユニット２は、左右に回動する。この第２回動部５も、第１回動部４と同様に第２ロック５１を備えることが好ましい。
【０１３０】
第２ロック５１は、第２回動部５の回動の可否を切り替える。第２ロック５１が有効状態である場合には、第２回動部５は、回動しない。第２ロック５１が解除状態である場合には、第２回動部５は、回動できる。
【０１３１】
第２ロック５１は、回転式であればよい。図９は、本発明の実施の形態２における第２ロックとその周辺の正面図である。第２ロック５１は、回転式であって、レバーを有している。このレバーを用いて、第２ロック５１は、回転させられる。
【０１３２】
このような回転式の第２ロック５１により、第２回動部５の回動の可否を容易に切り替えることができる。
【０１３３】
第１ロック４１および第２ロック５１は、プッシュによる解除や回転による解除を行う前に、いわゆる鍵を用いる必要があることも好適である。管理者が所有する鍵により第１ロック４１や第２ロック５１の解除が許可される。この解除の許可により、初めてプッシュが可能となったり回転が可能となったりする。これらにより、管理者以外が、表示ユニット２を回動させることができなくなる。
【０１３４】
なお、第１ロック４１および第２ロック５１のそれぞれは、連動しており、同時に解除されることでもよい。この場合には、第１ロック４１と第２ロック５１とが同時に解除されて、第１回動部４による上下の回動と第２回動部による左右の回動が、それぞれ実行できるようになる。
【０１３５】
以上、実施の形態２における遊技機器の表示装置１は、回動による表示ユニット２の移動を、より確実に行える。
【０１３６】
なお、実施の形態１〜２で説明した遊技機器の表示装置は、一例であり、本発明の主旨を逸脱しない範囲を排除するものではない。
【符号の説明】
【０１３７】
１    表示装置
２    表示ユニット
３    機構ユニット
３１    第１機構部
３２    第２機構部
４    第１回動部
４１    第１ロック
５    第２回動部
５１    第２ロック
１０    遊技機器
２０    正面扉
３０    遊技用ハンドル
４０    遊技盤
【図１】
2016195627.tif 000003
【図２】
2016195627.tif 000004
【図３】
2016195627.tif 000005
【図４】
2016195627.tif 000006
【図５】
2016195627.tif 000007
【図６】
2016195627.tif 000008
【図７】
2016195627.tif 000009
【図８】
2016195627.tif 000010
【図９】
2016195627.tif 000011